(57)【要約】【課題】電話帳に名前と電話番号を新規登録する手間を簡略にすることを課題とする。【解決手段】電話端末１０は、他の電話端末から送信された文字情報付き着信通知を受け付けた場合には、その着信の応答前に受け付けた着信通知に含まれる発信元電話番号および文字情報を着信時画面として表示し、その発信元電話番号および文字情報を電話帳テーブル１２ａに登録するか否かの選択画面も表示する。そして、電話端末１０は、その選択画面によって利用者から登録すべき旨の指示が受け付けられた発信元電話番号および文字情報を電話帳テーブル１２ａに記憶する。【選択図】        図１
2007195052.tif 000002
【特許請求の範囲】
【請求項１】
着信応答前に発信元電話番号とともに文字情報を受信する通信端末装置であって、
他の通信端末装置に付与されている電話番号を示す電話番号情報と当該通信端末装置を所有する所有者を識別するための識別情報とを対応付けて記憶する電話番号記憶手段と、
前記着信応答前に受信した発信元電話番号および文字情報を、前記電話番号情報および識別情報として対応付けて前記電話番号記憶手段に登録する電話番号登録手段と、
を備えたことを特徴とする通信端末装置。
【請求項２】
前記着信応答前に受信した発信元電話番号および文字情報を所定の出力部に出力し、当該発信元電話番号および文字情報を前記電話番号記憶手段に登録するか否かを利用者から受け付ける登録受付手段をさらに備え、
前記電話番号登録手段は、前記登録受付手段によって利用者から登録すべき旨の指示が受け付けられた発信元電話番号および文字情報を前記電話番号記憶手段に登録することを特徴とする請求項１に記載の通信端末装置。
【請求項３】
前記着信応答前に受信した発信元電話番号および文字情報を前記電話番号記憶手段に登録するか否かを判定する登録判定手段をさらに備え、
前記電話番号登録手段は、前記登録受付手段によって登録すべき旨が判定された発信元電話番号および文字情報を前記電話番号記憶手段に登録することを特徴とする請求項１に記載の通信端末装置。
【請求項４】
着信応答前に発信元電話番号とともに文字情報を受信する通信端末装置を制御する文字情報登録方法であって、
他の通信端末装置に付与されている電話番号を示す電話番号情報と当該通信端末装置を所有する所有者を識別するための識別情報とを対応付けて記憶する電話番号記憶工程と、
前記着信応答前に受信した発信元電話番号および文字情報を、前記電話番号情報および識別情報として対応付けて前記電話番号記憶工程に登録する電話番号登録工程と、
を含んだことを特徴とする文字情報登録方法。
【請求項５】
着信応答前に発信元電話番号とともに文字情報を受信する通信端末装置を制御する文字情報登録方法をコンピュータに実行させる文字情報登録プログラムであって、
他の通信端末装置に付与されている電話番号を示す電話番号情報と当該通信端末装置を所有する所有者を識別するための識別情報とを対応付けて記憶する電話番号記憶手順と、
前記着信応答前に受信した発信元電話番号および文字情報を、前記電話番号情報および識別情報として対応付けて前記電話番号記憶手順に登録する電話番号登録手順と、
をコンピュータに実行させることを特徴とする文字情報登録プログラム。
【発明の詳細な説明】
【技術分野】
【０００１】
この発明は、着信応答前に発信元電話番号とともに文字情報を受信する通信端末装置、文字情報登録方法および文字情報登録プログラムに関する。
【背景技術】
【０００２】
従来より、電話帳に名前と電話番号を新規登録する技術として、例えば、電話帳登録画面より名前と電話番号を手動により入力する技術がある。また、着信履歴画面からサブメニューにより電話帳登録を選択し、着信のあった電話番号を引用し、その電話番号に対応する名前を手動により入力する技術もある。また、赤外線を用いて名前と電話番号を受信し、受信した名前と電話番号を登録する技術もある。
【０００３】
一方、着信応答前に相手方に自分の名前を通知する技術として、発信側の携帯電話から文字情報を送信し、着信側で通話応答前に文字データを表示するという着信文字情報に関する技術が実施されている（例えば、特許文献１参照）。
【０００４】
【特許文献１】特開２００１−３３３４５７号公報
【発明の開示】
【発明が解決しようとする課題】
【０００５】
ところで、上記した従来の技術は、以下に説明するように、電話帳に名前と電話番号を新規登録する手間が煩雑であるという問題点があった。
【０００６】
つまり、上記した電話帳登録画面より名前と電話番号を手動により入力する技術では、ボタンを押下するなどして名前と電話番号を入力しなければならず、電話帳に名前と電話番号を新規登録する手間が煩雑であるという問題点があった。
【０００７】
また、着信のあった電話番号を引用し、その電話番号に対応する名前を手動により入力する技術では、ボタンを押下するなどして名前を入力しなければならず、電話帳に名前と電話番号を新規登録する手間が煩雑であるという問題点があった。
【０００８】
また、上記した、赤外線を用いて名前と電話番号を受信し、受信した名前と電話番号を登録する技術では、登録するまでの手順が多く、電話帳に名前と電話番号を新規登録する手間が煩雑であるという問題点があった。
【０００９】
そこで、この発明は、上述した従来技術の課題を解決するためになされたものであり、電話帳に名前と電話番号を新規登録する手間を簡略にする通信端末装置、文字情報登録方法および文字情報登録プログラムを提供することを目的とする。
【課題を解決するための手段】
【００１０】
上述した課題を解決し、目的を達成するため、請求項１に係る発明は、着信応答前に発信元電話番号とともに文字情報を受信する通信端末装置であって、他の通信端末装置に付与されている電話番号を示す電話番号情報と当該通信端末装置を所有する所有者を識別するための識別情報とを対応付けて記憶する電話番号記憶手段と、前記着信応答前に受信した発信元電話番号および文字情報を、前記電話番号情報および識別情報として対応付けて前記電話番号記憶手段に登録する電話番号登録手段と、を備えたことを特徴とする。
【００１１】
また、請求項２に係る発明は、上記の発明において、前記着信応答前に受信した発信元電話番号および文字情報を所定の出力部に出力し、当該発信元電話番号および文字情報を前記電話番号記憶手段に登録するか否かを利用者から受け付ける登録受付手段をさらに備え、前記電話番号登録手段は、前記登録受付手段によって利用者から登録すべき旨の指示が受け付けられた発信元電話番号および文字情報を前記電話番号記憶手段に登録することを特徴とする。
【００１２】
また、請求項３に係る発明は、上記の発明において、前記着信応答前に受信した発信元電話番号および文字情報を前記電話番号記憶手段に登録するか否かを判定する登録判定手段をさらに備え、前記電話番号登録手段は、前記登録受付手段によって登録すべき旨が判定された発信元電話番号および文字情報を前記電話番号記憶手段に登録することを特徴とする。
【００１３】
また、請求項４に係る発明は、着信応答前に発信元電話番号とともに文字情報を受信する通信端末装置を制御する文字情報登録方法であって、他の通信端末装置に付与されている電話番号を示す電話番号情報と当該通信端末装置を所有する所有者を識別するための識別情報とを対応付けて記憶する電話番号記憶工程と、前記着信応答前に受信した発信元電話番号および文字情報を、前記電話番号情報および識別情報として対応付けて前記電話番号記憶工程に登録する電話番号登録工程と、を含んだことを特徴とする。
【００１４】
また、請求項５に係る発明は、着信応答前に発信元電話番号とともに文字情報を受信する通信端末装置を制御する文字情報登録方法をコンピュータに実行させる文字情報登録プログラムであって、他の通信端末装置に付与されている電話番号を示す電話番号情報と当該通信端末装置を所有する所有者を識別するための識別情報とを対応付けて記憶する電話番号記憶手順と、前記着信応答前に受信した発信元電話番号および文字情報を、前記電話番号情報および識別情報として対応付けて前記電話番号記憶手順に登録する電話番号登録手順と、をコンピュータに実行させることを特徴とする。
【発明の効果】
【００１５】
請求項１、４または５の発明によれば、他の通信端末装置に付与されている電話番号を示す電話番号情報とその通信端末装置を所有する所有者を識別するための識別情報とを対応付けて記憶し、着信応答前に受信した発信元電話番号および文字情報を、電話番号情報および識別情報として対応付けて登録するので、電話帳に名前と電話番号を新規登録する手間を簡略にすることが可能となる。
【００１６】
また、請求項２の発明によれば、着信応答前に受信した発信元電話番号および文字情報を所定の出力部に出力し、その発信元電話番号および文字情報を登録するか否かを利用者から受け付け、利用者から登録すべき旨の指示が受け付けられた発信元電話番号および文字情報を登録するので、不必要な情報を登録しないように利用者が任意に判断することが可能となる。
【００１７】
また、請求項３の発明によれば、着信応答前に受信した発信元電話番号および文字情報を登録するか否かを判定し、登録すべき旨が判定された発信元電話番号および文字情報を登録するので、電話帳に名前と電話番号を新規登録する手間をさらに簡略にすることが可能となる。
【発明を実施するための最良の形態】
【００１８】
以下に添付図面を参照して、この発明に係る通信端末装置、文字情報登録方法および文字情報登録プログラムの実施例を詳細に説明する。
【実施例１】
【００１９】
以下の実施例では、実施例１に係る電話端末の概要および特徴、電話端末の構成および処理の流れを順に説明し、最後に実施例１による効果を説明する。
【００２０】
［実施例１に係る電話端末の概要および特徴］
まず最初に、図１を用いて、実施例１に係る電話端末の概要および特徴を説明する。図１は、実施例１に係る電話端末の概要および特徴を説明するための図である。
【００２１】
実施例１の電話端末１０では、着信応答前に発信元電話番号とともに文字情報を受信することを概要とする。そして、この電話端末１０では、電話帳に名前と電話番号を新規登録する手間を簡略にする点に主たる特徴がある。なお、電話端末１０は、特許請求の範囲に記載の「通信端末装置」に対応する。
【００２２】
この主たる特徴について具体的に説明すると、実施例１に係る電話端末１０は、図１に示すように、電話帳テーブル１２ａを備える。かかる電話帳テーブル１２ａは、他の電話端末に付与されている電話番号を示す「電話番号」とその電話端末を所有する所有者を識別するための「名前」とを対応付けて記憶している。
【００２３】
この電話端末１０は、他の電話端末から送信された文字情報付き着信通知を受け付けた場合には、その着信の応答前に受け付けた着信通知に含まれる発信元電話番号（例えば、「０９０１２３４５６７８」）および文字情報（例えば、「田中です」）を着信時画面として表示し、その発信元電話番号および文字情報を電話帳テーブル１２ａに登録するか否かの選択画面（例えば、「着信文字情報を名前として電話帳登録できます」）も表示する（図１の着信時画面参照）。
【００２４】
そして、電話端末１０は、その選択画面によって利用者から登録すべき旨の指示（例えば、登録ボタン押下による指示）が受け付けられた発信元電話番号および文字情報を電話帳テーブル１２ａに記憶する。つまり、上記の例でいえば、電話端末１０は、電話帳テーブル１２ａに発信元電話番号「０９０１２３４５６７８」と文字情報「田中です」とを対応付けて記憶する。このようなことから、実施例１では、主たる特徴のごとく電話帳に名前と電話番号を新規登録する手間を簡略にすることが可能となる。
【００２５】
［電話端末の構成］
次に、図２を用いて、図１に示した電話端末１０の構成を説明する。図２は、実施例１に係る電話端末１０の構成を示すブロック図である。同図に示すように、この電話端末１０は、制御部１１と記憶部１２から構成される。以下にこれらの各部の処理を説明する。
【００２６】
このうち、記憶部１２は、制御部１１による各種処理に必要なデータおよびプログラムを格納する格納手段であり、また、特に本発明に密接に関連するものとしては、電話帳テーブル１２ａを備える。なお、電話帳テーブル１２ａは、特許請求の範囲に記載の「電話番号記憶手段」に対応する。
【００２７】
制御部１１は、各種の処理手順などを規定したプログラムおよび所要データを格納するための内部メモリを有し、これらによって種々の処理を実行する処理部であり、特に本発明に密接に関連するものとしては、無線処理部１１ａ、表示操作制御部１１ｂ、登録受付部１１ｃおよび電話帳管理部１１ｄを備える。なお、表示操作制御部１１ｂと登録受付部１１ｃは、特許請求の範囲に記載の「登録受付手段」に対応し、電話帳管理部１１ｄは、特許請求の範囲に記載の「電話番号登録手段」に対応する。
【００２８】
このうち、無線処理部１１ａは、通信制御を行うための処理部であり、具体的には、他の電話端末から送信された文字情報付き着信通知を受け付け、その着信通知に含まれる発信元電話番号（例えば、「０９０１２３４５６７８」）および文字情報（例えば、「田中です」）を表示操作制御部１１ｂに通知する。なお、発信元電話番号および文字情報を電話帳テーブル１２ａに登録しないで利用者からの通話指示を受け付けた場合、または後述する電話帳管理部１１ｄによって発信元電話番号および文字情報が電話帳テーブル１２ａに登録された後、利用者からの通話指示を受け付けた場合には、通話状態へ移行する処理を行う。
【００２９】
表示操作制御部１１ｂは、受信した発信元電話番号および文字情報を表示するように制御する処理部であり、具体的には、図４に示すように、無線処理部１１ａから通知された発信元電話番号および文字情報を着信時画面として表示し、その発信元電話番号および文字情報を電話帳テーブル１２ａに登録するか否かの選択画面（例えば、「着信文字情報を名前として電話帳登録できます」）も表示する。また、後述する電話帳管理部１１ｄによって発信元電話番号および文字情報が電話帳テーブル１２ａに登録された後、図５に示すように登録完了画面として登録が完了された旨を表示する。
【００３０】
登録受付部１１ｃは、発信元電話番号および文字情報を電話帳テーブル１２ａに登録するか否かを利用者から受け付ける処理部である。具体的には、選択画面によって利用者から発信元電話番号および文字情報を登録すべき旨の指示（例えば、登録ボタン押下による指示）を受け付ける。
【００３１】
電話帳管理部１１ｄは、登録受付部１１ｃによって利用者から登録すべき旨の指示が受け付けられた発信元電話番号および文字情報を電話帳テーブル１２ａに記憶する処理部であり、具体的には、登録受付部１１ｃによって受け付けられた発信元電話番号および文字情報を電話帳テーブル１２ａに登録する。つまり、例を挙げれば、電話端末１０は、電話帳テーブル１２ａに発信元電話番号「０９０１２３４５６７８」と文字情報「田中です」とを対応付けて記憶する。
【００３２】
［電話端末による処理］
次に、図３を用いて、実施例１に係る電話端末による処理を説明する。図３は、実施例１に係る文字情報登録処理の流れを示すフローチャートである。
【００３３】
同図に示すように、電話端末１０は、無線処理部１１ａが他の電話端末から送信された文字情報付き着信通知を受け付け場合には（ステップＳ１０１肯定）、その着信通知に含まれる発信元電話番号（例えば、「０９０１２３４５６７８」）および文字情報（例えば、「田中です」）を表示操作制御部１１ｂに通知する。電話端末１０は、表示操作制御部１１ｂがその通知された発信元電話番号および文字情報を着信時画面として表示し、その表示された発信元電話番号および文字情報を電話帳テーブル１２ａに登録するか否かの選択画面（例えば、「着信文字情報を名前として電話帳登録できます」）も表示する（ステップＳ１０２）。
【００３４】
そして、電話端末１０は、登録受付部１１ｃが選択画面によって利用者から発信元電話番号および文字情報を登録すべき旨の指示（例えば、登録ボタン押下による指示）を受け付けた場合（ステップＳ１０３肯定）、登録受付部１１ｃによって受け付けられた発信元電話番号および文字情報を電話帳テーブル１２ａに登録して、通話状態へ移行する（ステップＳ１０４）。つまり、例を挙げれば、電話端末１０は、電話帳テーブル１２ａに発信元電話番号「０９０１２３４５６７８」と文字情報「田中です」とを対応付けて記憶する。なお、電話端末１０は、発信元電話番号および文字情報を電話帳テーブル１２ａに登録しないで利用者からの通話指示を受け付けた場合には（ステップＳ１０３否定）、通話状態へ移行する処理を行う。
【００３５】
[実施例１の効果]
上述してきたように、他の電話端末に付与されている電話番号を示す電話番号情報とその電話端末を所有する所有者を識別するための識別情報とを対応付けて記憶し、着信応答前に受信した発信元電話番号および文字情報を、電話番号情報および識別情報として対応付けて登録するので、電話帳に名前と電話番号を新規登録する手間を簡略にすることが可能となる。
【００３６】
また、実施例１によれば、着信応答前に受信した発信元電話番号および文字情報を所定の出力部に出力し、その発信元電話番号および文字情報を登録するか否かを利用者から受け付け、利用者から登録すべき旨の指示が受け付けられた発信元電話番号および文字情報を登録するので、不必要な情報を登録しないように利用者が任意に判断することが可能となる。
【実施例２】
【００３７】
ところで、上記の実施例１では、電話端末１０は、利用者の選択に応じて発信元電話番号および文字情報を記憶しているが、本発明はこれに限定されるものではなく、登録すべきかを自動で判定して発信元電話番号および文字情報を記憶するようにしてもよい。
【００３８】
そこで、以下の実施例２では、登録すべきかを判定して発信元電話番号および文字情報を記憶する場合として、図６および図７を用いて、実施例２における電話端末１０の構成と処理について説明する。図６は、実施例２に係る電話端末の構成を示すブロック図であり、図７は、実施例２に係る文字情報登録処理の手順を示すフローチャートである。
【００３９】
図６に示すように、電話端末１０は、図２に示した電話端末１０と比較して、制御部１１が登録判定部１１ｅを新たに備える点が相違する。かかる電話端末１０において、登録判定部１１ｅは、着信応答前に受信した発信元電話番号が電話帳テーブル１２ａに未だ記憶されていない場合には、その発信元電話番号および文字情報を電話帳テーブル１２ａに登録すべき旨を判定する。一方、登録判定部１１ｅは、着信応答前に受信した発信元電話番号が電話帳テーブル１２ａに既に記憶されている場合には、その発信元電話番号および文字情報を電話帳テーブル１２ａに登録しない旨を判定する。
【００４０】
そして、実施例２における電話帳管理部１１ｄは、登録判定部１１ｅによって登録すべき旨を判定がされた場合には、登録すべき旨の判定がなされた発信元電話番号および文字情報を電話帳テーブル１２ａに記憶する。
【００４１】
次に、実施例２にかかる文字情報登録処理について説明する。実施例２の文字情報登録処理は、図３に示した実施例１にかかる文字情報登録処理と比較して、登録判定処理を新たに行う点が相違する。
【００４２】
すなわち、図７に示すように、無線処理部１１ａから通知された発信元電話番号および文字情報を着信時画面として表示した後に（ステップＳ２０２）、実施例２にかかる電話端末１０の登録判定部１１ｅは、着信応答前に受信した発信元電話番号が電話帳テーブル１２ａに未だ記憶されていない場合には、その発信元電話番号および文字情報を電話帳テーブル１２ａに登録すべき旨を判定する。（ステップＳ２０３肯定）。そして、電話端末１０は、登録判定部１１ｅによって登録すべき旨を判定がされた場合には、登録すべき旨の判定がなされた発信元電話番号および文字情報を電話帳テーブル１２ａに記憶する。（ステップＳ２０４）。なお、電話端末１０は、発信元電話番号および文字情報を電話帳テーブル１２ａに登録しないで旨の判定をした場合には（ステップＳ２０３否定）、通話状態へ移行する処理を行う。
【００４３】
このように実施例２によれば、着信応答前に受信した発信元電話番号および文字情報を登録するか否かを判定し、登録すべき旨が判定された発信元電話番号および文字情報を登録するので、電話帳に名前と電話番号を新規登録する手間をさらに簡略にすることが可能となる。
【００４４】
また、着信応答前に受信した発信元電話番号が未だ記憶されていない場合には、その発信元電話番号および文字情報を登録すべき旨を判定するので、すでに電話帳テーブル１２ａに登録されている情報は登録されない結果、電話帳テーブル１２ａに既に登録されている情報が重複して登録されないようにすることが可能となる。
【実施例３】
【００４５】
さて、これまで本発明の実施例について説明したが、本発明は上述した実施例以外にも、種々の異なる形態にて実施されてよいものである。そこで、以下では実施例３として本発明に含まれる他の実施例を説明する。
【００４６】
（１）登録条件
例えば、上記の実施例２では、受信した発信元電話番号が電話帳に記憶されているかに応じて、登録すべきか否かの判定をする場合を説明したが、本発明はこれに限定されるものではなく、文字情報が予め規定された条件を満たすかに応じて、登録すべきか否かの判定をするようにしてもよい。
【００４７】
このように、発信元の電話端末は、発信元電話番号の登録を要求する場合には、その登録を要求する登録要求情報を含んだ発信要求を行うものであって、発信要求に登録要求情報が含まれる場合には、発信元電話番号および文字情報を登録すべき旨を判定するので、文字情報の内容に応じて電話帳テーブル１２ａに登録する必要がない情報を登録しないようにすることが可能となる。
【００４８】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、表示操作制御部１１ｂと登録受付部１１ｃを統合してもよい。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００４９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５０】
（３）プログラム
ところで、上記の実施例で説明した各種の処理は、あらかじめ用意されたプログラムをコンピュータで実行することによって実現することができる。そこで、以下では、図８を用いて、上記の実施例と同様の機能を有するプログラムを実行するコンピュータの一例を説明する。図８は、電話端末を実行するコンピュータを示す図である。
【００５１】
同図に示すように、電話端末としてのコンピュータ６００は、不揮発メモリ６１０、ＲＡＭ６２０、ＲＯＭ６３０およびＣＰＵ６４０をバス６５０で接続して構成される。
【００５２】
そして、ＲＯＭ６３０には、上記の実施例と同様の機能を発揮する電話端末、つまり、図８に示すように、無線処理プログラム６３１、表示操作制御プログラム６３２、登録受付プログラム６３３および電話帳管理プログラム６３４が予め記憶されている。なお、プログラム６３１〜６３４については、図２に示した電話端末の各構成要素と同様、適宜統合または分散してもよい。
【００５３】
そして、ＣＰＵ６４０が、これらのプログラム６３１〜６３４をＲＯＭ６３０から読み出して実行することで、図８に示すように、各プログラム６３１〜６３４は、無線処理プロセス６４１、表示操作制御プロセス６４２、登録受付プロセス６４３および電話帳管理プロセス６４４として機能するようになる。各プロセス６４１〜６４４は、図２に示した無線処理部１１ａ、表示操作制御部１１ｂ、登録受付部１１ｃおよび電話帳管理部１１ｄにそれぞれ対応する。
【００５４】
また、不揮発メモリ６１０には、図８に示すように、電話帳テーブル６１１が設けられる。なお、電話帳テーブル６１１は、図２に示した電話帳テーブル１２ａにそれぞれ対応する。そして、ＣＰＵ６４０は、電話帳テーブル６１１に対してデータを登録するとともに、電話帳テーブル６１１から電話帳データ６２１を読み出してＲＡＭ６２０に格納し、ＲＡＭ６２０に格納された電話帳データ６２１に基づいて位置情報を管理する処理を実行する。
【００５５】
（付記１）着信応答前に発信元電話番号とともに文字情報を受信する通信端末装置であって、
他の通信端末装置に付与されている電話番号を示す電話番号情報と当該通信端末装置を所有する所有者を識別するための識別情報とを対応付けて記憶する電話番号記憶手段と、
前記着信応答前に受信した発信元電話番号および文字情報を、前記電話番号情報および識別情報として対応付けて前記電話番号記憶手段に登録する電話番号登録手段と、
を備えたことを特徴とする通信端末装置。
【００５６】
（付記２）前記着信応答前に受信した発信元電話番号および文字情報を所定の出力部に出力し、当該発信元電話番号および文字情報を前記電話番号記憶手段に登録するか否かを利用者から受け付ける登録受付手段をさらに備え、
前記電話番号登録手段は、前記登録受付手段によって利用者から登録すべき旨の指示が受け付けられた発信元電話番号および文字情報を前記電話番号記憶手段に登録することを特徴とする付記１に記載の通信端末装置。
【００５７】
（付記３）前記着信応答前に受信した発信元電話番号および文字情報を前記電話番号記憶手段に登録するか否かを判定する登録判定手段をさらに備え、
前記電話番号登録手段は、前記登録受付手段によって登録すべき旨が判定された発信元電話番号および文字情報を前記電話番号記憶手段に登録することを特徴とする付記１に記載の通信端末装置。
【００５８】
（付記４）前記登録判定手段は、前記着信応答前に受信した発信元電話番号が前記電話番号記憶手段に未だ記憶されていない場合には、当該発信元電話番号および前記文字情報を前記電話番号記憶手段に登録すべき旨を判定することを特徴とする付記３に記載の通信端末装置。
【００５９】
（付記５）前記登録判定手段は、前記文字情報が予め規定された条件を満たす場合には、前記発信元電話番号および文字情報を前記電話番号記憶手段に登録すべき旨を判定することを特徴とする付記３に記載の通信端末装置。
【００６０】
（付記６）着信応答前に発信元電話番号とともに文字情報を受信する通信端末装置を制御する文字情報登録方法であって、
他の通信端末装置に付与されている電話番号を示す電話番号情報と当該通信端末装置を所有する所有者を識別するための識別情報とを対応付けて記憶する電話番号記憶工程と、
前記着信応答前に受信した発信元電話番号および文字情報を、前記電話番号情報および識別情報として対応付けて前記電話番号記憶工程に登録する電話番号登録工程と、
を含んだことを特徴とする文字情報登録方法。
【００６１】
（付記７）着信応答前に発信元電話番号とともに文字情報を受信する通信端末装置を制御する文字情報登録方法をコンピュータに実行させる文字情報登録プログラムであって、
他の通信端末装置に付与されている電話番号を示す電話番号情報と当該通信端末装置を所有する所有者を識別するための識別情報とを対応付けて記憶する電話番号記憶手順と、
前記着信応答前に受信した発信元電話番号および文字情報を、前記電話番号情報および識別情報として対応付けて前記電話番号記憶手順に登録する電話番号登録手順と、
をコンピュータに実行させることを特徴とする文字情報登録プログラム。
【産業上の利用可能性】
【００６２】
以上のように、本発明に係る通信端末装置、文字情報登録方法および文字情報登録プログラムは、着信応答前に発信元電話番号とともに文字情報を受信するのに有用であり、特に、電話帳に名前と電話番号を新規登録する手間を簡略にするのに適する。
【図面の簡単な説明】
【００６３】
【図１】実施例１に係る電話端末の概要および特徴を説明するための図である。
【図２】実施例１に係る電話端末の構成を示すブロック図である。
【図３】実施例１に係る文字情報登録処理の流れを示すフローチャートである。
【図４】着信時画面の一例を示す図である。
【図５】登録完了画面の一例を示す図である。
【図６】実施例２に係る電話端末の構成を示すブロック図である。
【図７】実施例２に係る文字情報登録処理の流れを示すフローチャートである。
【図８】電話端末を実行するコンピュータを示す図である。
【符号の説明】
【００６４】
１０  電話端末
１１  制御部
１１ａ  無線処理部
１１ｂ  表示操作制御部
１１ｃ  登録受付部
１１ｄ  電話帳管理部
１１ｅ  登録判定部
１２  記憶部
１２ａ  電話帳テーブル
６００  電話端末(コンピュータ)
６１０  不揮発メモリ
６１１  電話帳テーブル
６２０  ＲＡＭ
６２１  電話帳データ
６３０  ＲＯＭ
６３１  無線処理プログラム
６３２  表示操作制御プログラム
６３３  登録受付プログラム
６３４  電話帳管理プログラム
６４０  ＣＰＵ
６４１  無線処理プロセス
６４２  表示操作制御プロセス
６４３  登録受付プロセス
６４４  電話帳管理プロセス
６５０  バス
【図１】
2007195052.tif 000003
【図２】
2007195052.tif 000004
【図３】
2007195052.tif 000005
【図４】
2007195052.tif 000006
【図５】
2007195052.tif 000007
【図６】
2007195052.tif 000008
【図７】
2007195052.tif 000009
【図８】
2007195052.tif 000010